(57)【要約】【課題】役物を水平に保持した状態で上下方向に良好に移動できる遊技機を提供する。【解決手段】パチンコ機は可動役物３５を備える。可動役物３５の右端部に固定された右昇降部材５３は、右ガイド軸５２に沿って昇降可能に支持され、駆動モータの駆動で昇降する。右昇降部材５３はベアリング７１〜７４を備える。ベアリング７１と７３は右ガイド軸５２の左側に配置され、ベアリング７２と７４は、右ガイド軸５２の右側に配置される。パチンコ機を立てた姿勢では、可動役物３５は自身の重みで、右ガイド軸５２とは反対側が下方に沈むように動くが、可動役物３５を水平にした状態で、少なくともベアリング７２とベアリング７３を、右ガイド軸５２に対して互いにオフセットの位置で接触させる。これにより、可動役物３５を水平に保持できるので、右ガイド軸５２に沿って上下方向に良好に移動できる。【選択図】図８
2020089574.tif 000002
【特許請求の範囲】
【請求項１】
左右方向に長い役物と、
上下方向に延びるガイド軸と、
前記役物の前記左右方向の一端部に設けられ、前記ガイド軸に沿って前記上下方向に移動可能に支持される被支持部と、
モータと、
前記モータの回転力を、前記被支持部を前記ガイド軸に沿って前記上下方向に移動する駆動力に変換する変換部と
を備えた遊技機において、
前記被支持部は、
前記ガイド軸の左右両側に夫々配置され、前後方向に延びる回転軸を中心に回転可能に支持された一対の上側ベアリングと、
前記一対の上側ベアリングよりも下方で、且つ前記ガイド軸の左右両側に夫々配置され、前後方向に延びる回転軸を中心に回転可能に支持された一対の下側ベアリングと
を備え、
前記一対の上側ベアリングは、
前記ガイド軸における前記役物の前記一端部側に配置された第一ベアリングと、
前記ガイド軸における前記役物の前記一端部側とは反対側に配置された第二ベアリングと
を備え、
前記一対の下側ベアリングは、
前記ガイド軸における前記役物の前記一端部側に配置された第三ベアリングと、
前記ガイド軸における前記役物の前記一端部側とは反対側に配置された第四ベアリングと
を備え、
前記遊技機を立てた姿勢において、
前記被支持部が前記役物の重みで前記ガイド軸に対して前記役物が下がる方向に傾き、前記役物の長手方向が水平になった状態で、
少なくとも前記第二ベアリングと前記第三ベアリングが、前記ガイド軸に対して互いにオフセットの位置で接触すること
を特徴とする遊技機。
【請求項２】
前記第一ベアリングと前記第四ベアリングは互いに同一径であって、
前記第二ベアリングと前記第三ベアリングは互いに同一径で、且つ前記第一ベアリング及び前記第四ベアリングよりも大きい径を有すること
を特徴とする請求項１に記載の遊技機。
【請求項３】
前記ガイド軸に対して平行に延びる補助ガイド軸と、
前記役物の前記一端部とは反対側の他端部に設けられ、前記補助ガイド軸に沿って前記上下方向に移動可能に支持される補助被支持部と
を備えたこと
を特徴とする請求項１又は２に記載の遊技機。
【発明の詳細な説明】
【技術分野】
【０００１】
本発明は遊技機に関する。
【背景技術】
【０００２】
従来、役物の左右の両端部を、左右一対のガイド軸によって上下方向に移動可能に支持し、左右一対のガイド軸の夫々に設けられた左右一対の昇降駆動モータの回転に応じて、役物を上下方向に駆動させる遊技機が知られている（例えば、特許文献１参照）。
【先行技術文献】
【特許文献】
【０００３】
【特許文献１】特開２０１３−２３６８０３号公報
【発明の概要】
【発明が解決しようとする課題】
【０００４】
役物を片側一つの昇降駆動モータで上下動させる遊技機の場合、役物における昇降駆動モータと連結する一端とは反対側の他端側が重みで少し沈んでしまうので、左右一対のガイド軸に対して、役物が若干傾いてしまう可能性があった。この場合、役物がガイド軸に沿ってスムーズに移動できないという問題点があった。
【０００５】
本発明の目的は、役物を水平に保持した状態で上下方向に良好に移動できる遊技機を提供することである。
【課題を解決するための手段】
【０００６】
本発明に係る遊技機は、左右方向に長い役物と、上下方向に延びるガイド軸と、前記役物の前記左右方向の一端部に設けられ、前記ガイド軸に沿って前記上下方向に移動可能に支持される被支持部と、モータと、前記モータの回転力を、前記被支持部を前記ガイド軸に沿って前記上下方向に移動する駆動力に変換する変換部とを備えた遊技機において、前記被支持部は、前記ガイド軸の左右両側に夫々配置され、前後方向に延びる回転軸を中心に回転可能に支持された一対の上側ベアリングと、前記一対の上側ベアリングよりも下方で、且つ前記ガイド軸の左右両側に夫々配置され、前後方向に延びる回転軸を中心に回転可能に支持された一対の下側ベアリングとを備え、前記一対の上側ベアリングは、前記ガイド軸における前記役物の前記一端部側に配置された第一ベアリングと、前記ガイド軸における前記役物の前記一端部側とは反対側に配置された第二ベアリングとを備え、前記一対の下側ベアリングは、前記ガイド軸における前記役物の前記一端部側に配置された第三ベアリングと、前記ガイド軸における前記役物の前記一端部側とは反対側に配置された第四ベアリングとを備え、前記遊技機を立てた姿勢において、前記被支持部が前記役物の重みで前記ガイド軸に対して前記役物が下がる方向に傾き、前記役物の長手方向が水平になった状態で、少なくとも前記第二ベアリングと前記第三ベアリングが、前記ガイド軸に対して互いにオフセットの位置で接触することを特徴とする。
【０００７】
本発明に係る遊技機によれば、役物の一端部に設けられた被支持部がモータによって上下方向に駆動されることによって、役物が上下方向に移動する。被支持部では、被ガイド孔にガイド軸が遊挿され、一対の上側ベアリング及び一対の下側ベアリングの夫々においてガイド軸を挟み込む構造となっている。このような構造において、遊技機を立てた姿勢にすると、役物の他端部側が重みで若干沈んで傾いてしまう。本発明は、このことを考慮して、遊技機を立てた姿勢において、役物の長手方向が水平になった状態で、少なくとも、上側ベアリングである第二ベアリングと、下側ベアリングである第三ベアリングを、ガイド軸に対して互いにオフセットの位置で接触させている。これにより、遊技機は、役物を水平に保持した状態で、上下方向に良好に移動できる。なお、「遊技機を立てた姿勢」とは、例えばホールに設置したときの使用状態の姿勢を意味する。また、「オフセットの位置で接触」とは、ガイド軸に対して同一の高さ位置で接触するのではなく、ガイド軸の長手方向においてずれた位置で接触することを意味する。
【０００８】
前記第一ベアリングと前記第四ベアリングは互いに同一径であって、前記第二ベアリングと前記第三ベアリングは互いに同一径で、且つ前記第一ベアリング及び前記第四ベアリングよりも大きい径を有するとよい。第二ベアリングと第三ベアリングの夫々の径を第一ベアリングと第四ベアリングよりも大きくすることによって、ガイド軸に対して互いにオフセットの位置で接触させている。この状態では、役物の長手方向は水平であるので、その状態のままガイド軸に沿って上下方向に良好に駆動できる。また、被支持部に用いる４つのベアリングは、径の異なる２種のベアリングを共用して使用できる。
【０００９】
前記ガイド軸に対して平行に延びる補助ガイド軸と、前記役物の前記一端部とは反対側の他端部に設けられ、前記補助ガイド軸に沿って前記上下方向に移動可能に支持される補助被支持部とを備えるとよい。役物の長手方向の両端部が、被支持部と補助支持部によって支持されるので、役物は水平に保持された状態で、上下方向に安定して移動できる。
【図面の簡単な説明】
【００１０】
【図１】パチンコ機１の正面図である。
【図２】遊技盤２の正面図である。
【図３】役物装置３０（可動役物３５：上部位置）の正面図である。
【図４】役物装置３０（可動役物３５：下部位置）の正面図である。
【図５】役物装置３０の右斜め前方からの斜視図である。
【図６】役物装置３０の左斜め前方からの斜視図である。
【図７】役物装置３０の分解斜視図である。
【図８】可動役物３５を水平状態に保持するベアリング７１〜７４の配置を示す図である。
【図９】同一径のベアリング７１、１７２、７３、１７４で可動役物３５を保持する構成で、可動役物３５が自身の重みで傾いた状態を示すイメージ図である。
【発明を実施するための形態】
【００１１】
以下、本発明に係る遊技機の一実施の形態であるパチンコ機１について、図面を参照して説明する。以下説明では、図１，図２の手前側、奥側、上側、下側、左側、及び右側を、夫々、パチンコ機１及び遊技盤２の前側、後側、上側、下側、左側、及び右側とする。
【００１２】
図１、図２を参照し、パチンコ機１の機械的構成を説明する。図１に示すように、パチンコ機１の上半分の部分には、遊技盤２が設けられる。遊技盤２は略正方形であり、透明なガラス板を保持したガラス枠１３によって前面が保護される。遊技盤２の下方部には、遊技球発射装置３４（図１２参照）に遊技球を供給し、且つ賞球を受ける上皿５が設けられる。上皿５の直下には、賞球を受ける下皿６が設けられる。下皿６の右横には、遊技球の発射を調整する発射ハンドル７が設けられる。ガラス枠１３の上部の左右の角にはスピーカ４８が夫々設けられる。
【００１３】
図２に示すように、遊技盤２の前面には、ガイドレール３に囲まれた略円形の遊技領域４が形成される。遊技球発射装置３４によって発射された遊技球は、遊技領域４内を流下する。遊技領域４の略中央には、表示開口８が設けられる。表示開口８の後側には、役物装置３０が設けられる。役物装置３０は、支持枠３１（図３参照）によって支持される。支持枠３１は、ガラス枠１３の背面側に設けられる。役物装置３０は、表示開口８の中央に可動役物３５を昇降可能に備える（図２、図３参照）。なお、役物装置３０と支持枠３１の具体的構成については後述する。
【００１４】
表示開口８の下方には第一始動口１４が設けられ、表示開口８の右方には第二始動口１２が設けられる。第一始動口１４に遊技球が入賞すると、パチンコ機１は第一大当たり判定を実行する。第二始動口１２の開閉部材が開放されると、遊技球は第二始動口１２に入賞容易となる。遊技球が第二始動口１２に入賞すると、パチンコ機１は第二大当たり判定を実行する。第一始動口１４の下方には、大入賞口１６、アウト口１９が設けられる。大入賞口１６に設けられた開閉部材が開放されると、遊技球は大入賞口１６に入賞容易となる。アウト口１９は、遊技領域４の下端まで流下した遊技球を回収する。
【００１５】
第二始動口１２の下方には、入賞装置２５が設けられる。遊技球は入賞装置２５の内部に上方から進入する。入賞装置２５の内部には、複数の大入賞口（図示外）が設けられる。各大入賞口には開閉部材が設けられ、開閉部材が開放されると遊技球は大入賞口に入賞容易となる。入賞装置２５の特定の大入賞口の内部には特定領域と非特定領域が設けられており、遊技球が特定領域を通過することを契機として確率変動状態が生起される。尚、入賞装置２５の内部でいずれの大入賞口にも入賞し損ねた遊技球は、左下に向けて放出される。
【００１６】
図３、図４を参照し、支持枠３１の構造を説明する。支持枠３１は、正面視略矩形枠状に形成された樹脂製の枠体であり、上枠部３１Ａ、右枠部３１Ｂ、左枠部３１Ｃ、下枠部３１Ｄ等を備える。支持枠３１の中央部には、前後方向に貫通する正面視略矩形状の開口部３１０が設けられる。支持枠３１の中央部には、開口部３１０を塞ぐように、遊技盤２の背面側がネジで固定される。これにより、支持枠３１を正面から見た場合に、遊技盤２の周囲を取り囲むようにして支持枠３１が配置される（図２参照）。
【００１７】
図３〜図６を参照し、役物装置３０の構造を説明する。図４に示すように、役物装置３０は、可動役物３５、右移動機構部５０、左移動機構部６０等を備え、支持枠３１によって支持される。右移動機構部５０は、右枠部３１Ｂの前面に固定される。左移動機構部６０は、左枠部３１Ｃの前面に固定される。図３、図４に示すように、可動役物３５は、右移動機構部５０及び左移動機構部６０によって、開口部３１０の前面側において、上部位置と下部位置の間を昇降可能に支持される。なお、上部位置とは、支持枠３１の開口部３１０の上部に相当する位置（図３参照）である。下部位置とは、支持枠３１の開口部３１０の下部に相当する位置（図４参照）である。
【００１８】
図５、図６を参照し、可動役物３５の構造を説明する。可動役物３５は、後方に向けて開口する平面視略Ｕ字状に形成され、本体部３６、右支持部３７、左支持部３８を備える。本体部３６は、正面視左右方向に長い略矩形板状に形成され、その前面には表示部３６１が設けられる。表示部３６１には、電飾基板（図示略）が設けられる。電飾基板に設けられた複数のＬＥＤが点灯することにより、表示部３６１は、０〜９のいずれかの数字を左右に三つ並べて表示する。例えば、第一大当たり判定又は第二大当たり判定に伴う変動演出の実行時に、表示部３６１において各数字を変動させながら表示し、その後、各数字を確定表示させてもよい。右支持部３７は、本体部３６の背面の右端部から後方に突出し、右移動機構部５０の後述する右昇降部材５３の役物固定部５３３に螺子止め固定される。左支持部３８は、本体部３６の背面の左端部から後方に突出し、左移動機構部６０の後述する左昇降部材６３に螺子止め固定される。これにより、本体部３６は、右移動機構部５０及び左移動機構部６０よりも前側に突出した位置で支持される。
【００１９】
図３〜図７を参照し、右移動機構部５０の構造を説明する。右移動機構部５０は、右柱部材５１、右ガイド軸５２、右昇降部材５３、駆動モータ５４、ストッパ機構部５５等を備える。右柱部材５１は正面視上下方向に長い樹脂製の板材であり、支持枠３１の右枠部３１Ｂの前面に固定される。右柱部材５１の上部には、ストッパ固定部５１１が設けられる。右柱部材５１の前面の左側上部であって、ストッパ固定部５１１の直下には、上側軸固定部５１２が設けられる。右柱部材５１の前面の左側下部には、下側軸固定部５１３が設けられる。右柱部材５１の右端部における上下方向略中央部には、モータ固定部５１５が設けられる。
【００２０】
モータ固定部５１５の直下には、フォトセンサ７８が他部材（図示略）を介して固定される。フォトセンサ７８は、一般的な透過型フォトセンサである。フォトセンサ７８は、前後方向に互いに対向する位置に発光部と受光部（図示略）を備える。発光部から出射された光は、受光部によって受光される。右昇降部材５３が上昇し、可動役物３５が上部位置に位置決めされたとき、発光部と受光部の間に、右昇降部材５３の下端部に設けられた後述する被検出部５３５が配置される（図３参照）。フォトセンサ７８は発光部から受光部に出射される光が被検出部５３５によって遮断されることで、可動役物３５が上部位置に位置決めされたことを検出できる。
【００２１】
右ガイド軸５２は金属製の丸棒であって、右柱部材５１の前面左側において、上下方向に延びるようにして配置される。右ガイド軸５２の上端部は、右柱部材５１の上側軸固定部５１２に固定される。右ガイド軸５２の下端部は、右柱部材５１の下側軸固定部５１３に固定される。
【００２２】
右昇降部材５３は、右ガイド軸５２に沿って上下方向に移動可能に支持される。右昇降部材５３は、正面視上下方向に長い略矩形板状に形成され、ラックギア５３１、筒部５３２、役物固定部５３３、被検出部５３５、ベアリング７１〜７４、被係止部５８等を備える。右昇降部材５３の右端部は上下方向に延びる。ラックギア５３１は、右昇降部材５３の右端部に沿って設けられる。筒部５３２は、右昇降部材５３の前面の上下方向略中央部に筒状に設けられ、上下方向に貫通する。筒部５３２の内側には、右ガイド軸５２が挿通する。役物固定部５３３は、右昇降部材５３の左端部の上側に設けられ、正面視略矩形板状に形成される。役物固定部５３３の前面には、可動役物３５の右支持部３７の後端部が螺子止め固定される。被検出部５３５は、右昇降部材５３の下端部に設けられ、正面視略矩形板状に形成される。被検出部５３５は、可動役物３５が上部位置に位置決めされたとき、フォトセンサ７８に相対する位置に配置される（図３参照）。即ち、フォトセンサ７８が被検出部５３５を検出したとき、可動役物３５は上部位置に配置される。
【００２３】
ベアリング７１〜７４は、右昇降部材５３の前面において、前後方向に延びる回転軸を中心に回転可能に設けられ、筒部５３２に挿通される右ガイド軸５２を左右両側から挟み込むようにして夫々配置される（図３、図８参照）。右昇降部材５３が右ガイド軸５２に沿って昇降する際、ベアリング７１〜７４は、右ガイド軸５２に沿って転動する。これにより、右昇降部材５３は、右ガイド軸５２に沿って安定、且つ滑らかに昇降できる。なお、ベアリング７１〜７４の配置、ベアリング径等については後述する。
【００２４】
被係止部５８は樹脂製の棒部材であって、右昇降部材５３の前面におけるベアリング７１の直上において横向きに固定され、右方に向けて略水平に突出する。被係止部５８の先端部は、正面視略多角形状に膨出して形成される。駆動モータ５４は、右柱部材５１のモータ固定部５１５に固定される。駆動モータ５４の出力軸は後方に突出し、その先端部には、ピニオンギア５４２が設けられる（図５、図７参照）。ピニオンギア５４２は、右昇降部材５３の右端部に設けられたラックギア５３１と噛合する。これにより、駆動モータ５４が駆動すると、出力軸と共にピニオンギア５４２が回転し、該ピニオンギア５４２の回転方向及び回転量に応じて、ラックギア５３１と一体して右昇降部材５３が昇降する。
【００２５】
ストッパ機構部５５は、右柱部材５１の上部のストッパ固定部５１１（図７参照）に固定される。ストッパ機構部５５は、上から順に、ソレノイド５５１、プランジャ５５２、連結部５５３、ストッパ５６等を備える。ソレノイド５５１は、銅線に電流を流すことにより磁界を発生させ、磁性体であるプランジャ５５２を吸引する周知の電気部品である。プランジャ５５２は、ソレノイド５５１の下部から下方に向けて出退可能に設けられる。プランジャ５５２の下端部には、連結部５５３が固定される。連結部５５３は正面視略矩形状に形成された樹脂部品であり、プランジャ５５２と一体して上下方向に移動する。連結部５５３には、ガイド穴５５４が設けられる。ガイド穴５５４は連結部５５３を前後方向に貫通し、且つ左右方向に長い略矩形状に形成される。連結部５５３の上面とソレノイド５５１の間には、バネ（図示略）が配置される。バネは、連結部５５３をソレノイド５５１から離間する方向（下方）に常時付勢する。
【００２６】
ストッパ５６は、右ガイド軸５２の上端部の右側近傍に設けられた軸支部５７を中心に揺動可能に設けられる。軸支部５７は前後方向に延びる軸心を有する。ストッパ５６は樹脂製であって、正面視左方に開口する略Ｕ字状に形成され、軸支部５７によって軸支される。ストッパ５６の右上部には、上方に突出する突出部５６４が設けられる。突出部５６４の前面には、連結軸５６５が前方に突出して設けられる。連結軸５６５は、連結部５５３のガイド穴５５４に後方から挿入される。
【００２７】
図３、図４を参照し、ストッパ機構部５５の動作を簡単に説明する。図３に示すように、ソレノイド５５１の通電をオフした状態では、プランジャ５５２はバネの付勢で下方に突出する。連結部５５３はプランジャ５５２と一体して下方に突出する。連結部５５３のガイド穴５５４の内壁は、ストッパ５６の連結軸５６５を押し下げるので、ストッパ５６は、軸支部５７を中心に正面視時計回りに回動する。ストッパ５６の回動に伴い、連結軸５６５はガイド穴５５４の右側に移動する。これにより、ストッパ５６は、対向位置に位置決めされる。対向位置に位置決めされたストッパ５６の先端部の上面は略水平であり、プランジャ５５２の軸線上に配置される。
【００２８】
一方、図４に示すように、ソレノイド５５１の通電をオンした状態では、プランジャ５５２は、バネの付勢力に抗してソレノイド５５１内に引き込まれるので、連結部５５３は上方に移動する。このとき、ストッパ５６の連結軸５６５は、連結部５５３のガイド穴５５４の内壁によって押し上げられるので、ストッパ５６は、軸支部５７を中心に正面視反時計回りに回動する。ストッパ５６の回動に伴い、連結軸５６５はガイド穴５５４の左側に移動する。これにより、ストッパ５６は、対向位置から退避位置に位置決めされる。退避位置に位置決めされたストッパ５６の先端部の上面は右肩上りに傾斜し、プランジャ５５２の軸線上から右側に退避する。
【００２９】
図４、図５を参照し、左移動機構部６０の構造を説明する。左移動機構部６０は、左柱部材６１、左ガイド軸６２、左昇降部材６３等を備える。左柱部材６１は正面視上下方向に長い樹脂製の板材であり、支持枠３１の左枠部３１Ｃの前面に固定される。左柱部材６１の前面の右側上部には、上側軸固定部６１２が設けられる。左柱部材６１の前面の右側下部には、下側軸固定部６１３が設けられる。左ガイド軸６２は金属製の棒であって、左柱部材６１の前面右側において、上下方向に延びるようにして配置される。左ガイド軸６２の上端部は、左柱部材６１の上側軸固定部６１２に固定される。左ガイド軸６２の下端部は、左柱部材６１の下側軸固定部６１３に固定される。右ガイド軸５２と左ガイド軸６２は互いに平行である。
【００３０】
左昇降部材６３は、左ガイド軸６２に沿って上下方向に移動可能に支持される。左昇降部材６３は、正面視上下方向に長い略矩形板状に形成され、上挿通部６３１、中挿通部６３２、下挿通部６３３、ベアリング８１，８２、ＦＰＣ６５、カバー６６等を備える。左昇降部材６３の前面には、可動役物３５の左支持部３８の後端部が螺子止め固定される。上挿通部６３１、中挿通部６３２、下挿通部６３３は、左昇降部材６３の左端部の上部、中間部、下部に夫々設けられる。上挿通部６３１は、平面視左方に開口する略Ｕ字状に形成され、中挿通部６３２は平面視前方に開口する略Ｕ字状に形成され、下挿通部６３３は、平面視左方に開口する略Ｕ字状に形成される。これら上挿通部６３１、中挿通部６３２、下挿通部６３３の夫々の内側には、左ガイド軸６２が挿通する。
【００３１】
ベアリング８１は、左昇降部材６３の左上角部において、前後方向に延びる回転軸を中心に回転可能に設けられる。ベアリング８２は、左昇降部材６３の左下角部において、前後方向に延びる回転軸を中心に回転可能に設けられる。ベアリング８１，８２は、左ガイド軸６２に対して右方から当接する。左昇降部材６３が左ガイド軸６２に沿って昇降する際、ベアリング８１，８２は左ガイド軸６２に沿って転動する。これにより、左昇降部材６３は左ガイド軸６２に沿って安定、且つ滑らかに昇降できる。
【００３２】
中挿通部６３２には、正面視略逆Ｌ字状のカバー６６が固定される。可動役物３５に設けられた電飾基板２９に接続するＦＰＣ６５は、左支持部３８の後端部から左昇降部材６３の前面において左方に引き出され、カバー６６の背面に沿うようにして下方に屈曲して折り返される。さらに、ＦＰＣ６５は、左柱部材６１の前面側において側面視略Ｕ字状に上方に折り返され、その折り返された一端部が左柱部材６１の前面上部において固定される。そして、ＦＰＣ６５の一端部は、ランプドライバ基板（図示略）に接続される。これにより、可動役物３５が昇降しても、ＦＰＣ６５は引っ張られることなく、可動役物３５の昇降に追従できる。
【００３３】
図３と図４を参照し、可動役物３５の昇降動作の一例を簡単に説明する。例えば、パチンコ機１の起動時、可動役物３５は下部位置に配置された状態である（図４参照）。ソレノイド５５１は通電がオフした状態であるので、ストッパ５６は対向位置に移動した状態である。可動役物３５を上昇する為、ソレノイド５５１の通電がオンされ、ストッパ５６が対向位置から退避位置に移動する。次いで、駆動モータ５４が駆動し、出力軸と共にピニオンギア５４２が回転し、該ピニオンギア５４２の回転方向及び回転量に応じて、ラックギア５３１と一体して右昇降部材５３が昇降する。可動役物３５は、右ガイド軸５２及び左ガイド軸６２に沿って上昇する。フォトセンサ７８が右昇降部材５３の被検出部５３５６を検出すると、可動役物３５は上部位置に到達する（図３参照）。このとき、駆動モータ５４は停止し、可動役物３５の上昇は停止する。可動役物３５は上部位置に位置決めされ、支持枠３１の開口部３１０の上部に配置される。
【００３４】
続いて、ソレノイド５５１の通電がオフされ、ストッパ５６は退避位置から対向位置に移動する。このとき、ストッパ５６の先端部の上面は、被係止部５８の下方に所定の隙間を介して対向配置される。これにより、仮に可動役物３５が落下しそうになっても、被係止部５８がストッパ５６の先端部に係止することにより、可動役物３５は保持されるので、可動役物３５が落下するのを確実に防止できる。なお、可動役物３５が上部位置から下部位置に下降する場合、上記動作と逆の動作が行われる。
【００３５】
図８を参照し、ベアリング７１〜７４の配置とベアリング径を具体的に説明する。ベアリング７１〜７４は、右昇降部材５３の前面において、前後方向に延びる回転軸を中心に回転可能に設けられ、右ガイド軸５２を左右両側から挟み込むようにして夫々配置される。ベアリング７１は右昇降部材５３の上部であって、右ガイド軸５２における可動役物３５の右支持部３７側（右ガイド軸５２の左側）に配置される。ベアリング７２は、右ガイド軸５２を挟んでベアリング７１とは反対側（右ガイド軸５２の右側）であって、ベアリング７１よりも高い位置に設けられる。ベアリング７３は、右昇降部材５３の下部であって、右ガイド軸５２における可動役物３５の右支持部３７側（右ガイド軸５２の左側）に配置される。ベアリング７４は、右ガイド軸５２を挟んで、ベアリング７３とは反対側（右ガイド軸５２の右側）であって、ベアリング７３と同一高さ位置に設けられる。ベアリング７１と７４は、互いに同一径を有するベアリングである。ベアリング７２と７３は互いに同一径を有し、ベアリング７１、７４よりも大径のベアリングである。
【００３６】
例えば、パチンコ機１を横に寝かせた状態から起こして垂直に立てたとき、可動役物３５は、右昇降部材５３と一体して、右ガイド軸５２に対して水平に支持される。このとき、ベアリング７１は右ガイド軸５２から離間し、ベアリング７２は右ガイド軸５２に対して右側から接触し、ベアリング７３は右ガイド軸５２に対して左側から接触し、ベアリング７４は右ガイド軸５２に対して右側から接触するように夫々配置される。これらベアリング７１〜７４は、可動役物３５を水平に保持した状態で、右ガイド軸５２に対して、右昇降部材５３を昇降可能に支持する。
【００３７】
図８、図９を参照し、ベアリング７１〜７４による可動役物３５の支持構造を説明する。図８に示すように、役物装置３０は、左右方向に長い可動役物３５を、右移動機構部５０の一つの駆動モータ５４で上下動させる構成を備える。例えば、パチンコ機１を横に寝かせた状態から垂直に起こしてホールに設置したとき、可動役物３５には重力Ｆがかかる。このような構成の場合、可動役物３５は、駆動モータ５４と連結する右支持部３７とは反対側の左支持部３８側が重みで少し沈む性質を有する。
【００３８】
ここで、例えば、図９に示すように、図８に示す大径のベアリング７２、７３の代わりに、ベアリング７１、７４と同径のベアリング１７２、１７３を配置した従来構造を想定する。この従来構造では、ベアリング１７３、１７３と右ガイド軸５２の間に隙間ができるので、可動役物３５に重力Ｆがかかると、可動役物３５の左支持部３８側が少し沈む。図９において、水平に保持したときの可動役物３５の上面に沿って左方に延長した仮想線（二点鎖線）を、可動役物３５の水平位置を示す基準線Ｓ１とした場合、可動役物３５は仮想線Ｓ２の位置まで傾いてしまう。これでは、可動役物３５は傾いた状態のまま昇降すると共に、右ガイド軸５２に沿ってスムーズに移動できない。
【００３９】
可動役物３５は、右昇降部材５３におけるベアリング７３の部分を中心に正面視反時計回り方向に傾いているので、右ガイド軸５２に対して、ベアリング７２と７３が接触する。それ故、可動役物３５の傾きを水平に矯正する為には、可動役物３５を正面視時計回り方向に回動させ、水平に戻す必要がある。
【００４０】
そこで、本実施形態においては、図８に示すように、ベアリング１７２、１７４の代わりに、大径のベアリング７２と７４を配置する。ベアリング７２は、ベアリング１７２よりも径が大きいので、ベアリング１７２を配置したときに比べ、右ガイド軸５２を左方に付勢するように作用する。ベアリング７４も、ベアリング１７４よりも径が大きいので、ベアリング１７４を配置したときに比べ、右ガイド軸５２を右方に付勢するように作用する。これにより、傾いた状態の可動役物３５は、図９の状態から、右ガイド軸５２に対して、正面視時計回りに回転するように傾きが補正されるので、姿勢が水平に矯正される。
【００４１】
また、右昇降部材５３の下部において、ベアリング７３と７４は、右ガイド軸５２を左右両側から挟み込むようにして接触する。これにより、可動役物３５は、ベアリング７３と７４の位置において、左右の方向の位置が決まる。一方、右昇降部材５３の上部においては、ベアリング７２が、右ガイド軸５２に対して右側から接触するが、ベアリング７１と右ガイド軸５２との間には隙間が形成されている。これにより、可動役物３５は、右昇降部材５３のベアリング７３と７４を基点とし、水平な状態から正面視時計回りに若干回転できるようになっている。よって、例えば、可動役物３５が右ガイド軸５２と左ガイド軸６２に沿って下降する際、駆動モータ５４で移動する右昇降部材５３の下降に引っ張られるようにやや遅れて左昇降部材６３が追従して下降した場合でも、その位置ずれを許容するように可動役物３５が正面視時計回りに若干回転できるようになっている。これにより、可動役物３５、及び右昇降部材５３の役物固定部５３３にかかる負荷を軽減できるので、可動役物３５は、右ガイド軸５２と左ガイド軸６２に沿ってスムーズに下降できる。
【００４２】
以上説明したように、本実施形態のパチンコ機１は、可動役物３５、右ガイド軸５２、右昇降部材５３、駆動モータ５４、ラックギア５３１及びピニオンギア５４２を備える。可動役物３５は左右方向に長い。右ガイド軸５２は、上下方向に延びる。右昇降部材５３は、可動役物３５の右端部に固定され、右ガイド軸５２に沿って上下方向に移動可能に支持される。ラックギア５３１は、右昇降部材５３に設けられる。ピニオンギア５４２は、駆動モータ５４の出力軸に設けられる。ラックギア５３１とピニオンギア５４２は、駆動モータ５４の回転力を、右昇降部材５３を右ガイド軸５２に沿って上下方向に移動する駆動力に変換する。
【００４３】
右昇降部材５３は、ベアリング７１〜７４を備える。ベアリング７１と７２は、右ガイド軸５２の左右両側に夫々配置され、前後方向に延びる回転軸を中心に回転可能に支持される。ベアリング７３と７４は、ベアリング７１と７２よりも下方で、且つ右ガイド軸５２の左右両側に夫々配置され、前後方向に延びる回転軸を中心に回転可能に支持される。ベアリング７１は、右ガイド軸５２における可動役物３５の右端部側に配置される。ベアリング７２は、右ガイド軸５２における可動役物３５の右端部側とは反対側に配置される。ベアリング７３は、右ガイド軸５２における可動役物３５の右端部側に配置される。ベアリング７４は、右ガイド軸５２における可動役物３５の右端部側とは反対側に配置される。
【００４４】
上記構成を有するパチンコ機１を立てた姿勢において、右昇降部材５３が可動役物３５の重みで右ガイド軸５２に対して可動役物３５が下がる方向に傾き、可動役物３５の長手方向が水平になった状態で、少なくともベアリング７２とベアリング７３は、右ガイド軸５２に対して互いにオフセットの位置で接触する。これにより、パチンコ機１は、可動役物３５を水平に保持した状態で、右ガイド軸５２に沿って上下方向に良好に移動できる。
【００４５】
また、パチンコ機１を立てた姿勢においては、ベアリング７１と右ガイド軸５２の間には隙間が形成されている。これにより、可動役物３５が右ガイド軸５２に沿って下降する際、仮に、可動役物３５の右端部が右昇降部材５３によって一時的に下方に引っ張られた場合、可動役物３５は、左端部側が右端部側よりも上方になるように傾くことができる。よって、可動役物３５、及び右昇降部材５３の役物固定部５３３にかかる負荷を軽減できるので、可動役物３５は、右ガイド軸５２と左ガイド軸６２に沿ってスムーズに下降できる。
【００４６】
また、ベアリング７１と７４は互いに同一径であって、ベアリング７２と７３は互いに同一径で、且つベアリング７１及び７４よりも大きい径を有する。ベアリング７２と７３は、可動役物３５の重みで、右ガイド軸５２に対してオフセットの位置で常時接触するので、ベアリング７１及び７４よりも大径にすることで、右ガイド軸５２に沿って安定して摺動できる。これにより、可動役物３５は右ガイド軸５２に沿って安定して昇降できる。また、ベアリング７１〜７４は、径の異なる２種のベアリングを共有して使用できる。
【００４７】
また、パチンコ機１は、左ガイド軸６２と左昇降部材６３を備える。左ガイド軸６２は、右ガイド軸５２に対して平行に上下方向に延びる。左昇降部材６３は、可動役物３５の左端部に固定され、左ガイド軸６２に沿って上下方向に移動可能に支持される。これにより、可動役物３５の左右両側は、右昇降部材５３及び左昇降部材６３によって支持されるので、可動役物３５は水平に保持された状態で、上下方向に安定して移動できる。
【００４８】
上記説明において、可動役物３５は、本発明の「役物」の一例である。右ガイド軸５２は本発明の「ガイド軸」の一例である。右昇降部材５３は本発明の「被支持部」の一例である。駆動モータ５４は本発明の「モータ」の一例である。ラックギア５３１、ピニオンギア５４２は本発明の「変換部」の一例である。ベアリング７１と７２は本発明の「上側ベアリング」の一例であり、ベアリング７３と７４は本発明の「下側ベアリング」の一例である。ベアリング７１は本発明の「第一ベアリング」、ベアリング７２は本発明の「第二ベアリング」、ベアリング７３は本発明の「第三ベアリング」、ベアリング７４は本発明の「第四ベアリング」の一例である。左ガイド軸６２は本発明の「補助ガイド軸」の一例である。左昇降部材６３は本発明の「補助支持部」の一例である。
【００４９】
なお、本発明は、上記の実施形態に限定されるものではなく、種々の変更が可能である。上記実施形態の役物装置３０は、ベアリング７１〜７４を備え、そのうちベアリング７２と７３は、ベアリング７１と７４よりも大径であるが、全て同一径としてもよく、一部又は全部が異なる径であってもよい。例えば、図９に示すように、全て同一径のベアリングとし、可動役物３５を水平状態に保持したときに、少なくともベアリング１７２と１７３が右ガイド軸５２に対してオフセットの位置で接触するように、ベアリング１７２と１７３の夫々の位置を調整してもよい。
【００５０】
ベアリング７２は、ベアリング７１よりも上方に位置するが、ベアリング７１と同一位置、若しくはベアリング７１よりも低い位置に配置してもよい。好ましくは、ベアリング７１よりも上方に配置するのがよい。これにより、右ガイド軸５２に対して、可動役物３５を安定して支持できる。また、ベアリング７４は、右ガイド軸５２に対して右方から接触するが、右ガイド軸５２との間に隙間を有した状態で配置してもよい。
【００５１】
役物装置３０は、右ガイド軸５２と左ガイド軸６２を備え、右昇降部材５３と左昇降部材６３によって、可動役物３５の左右両側を昇降可能に支持するが、例えば、左ガイド軸６２と左昇降部材６３を省略してもよい。
【００５２】
上記実施形態は、遊技機として、遊技機の一種であるパチンコ機１を例に挙げているが、遊技機はパチンコ機に限られず、パチコン機、パチスロ台等の各種の遊技機に適用可能である。
【００５３】
なお、請求項、明細書および図面に記載される全ての要素（例えば、役物装置、入賞口等）は、個数を意識的に限定する明確な記載がない限り、物理的に単一であっても複数であっても構わないし、適宜配置の変更が行われても構わない。また、前記要素につけられた名称（要素名）は、単に本件の記載のために便宜上付与したにすぎないものであり、それによって特別な意味が生じることを特に意識したものではない。従って、要素名のみによって要素が何であるかが限定解釈されるものではない。更には、上記全ての要素のうちの複数の要素を適宜一体的に構成するか、もしくはひとつの要素を複数の要素に分けて構成するかは、何れも当業者であれば容易に考えられる事項であり、敢えて明細書等において全パターンを記載しなくても何れのパターンも想定範囲内であることは明らかであることから、特許請求の範囲等においてそれらを明確に除外している旨の記載がない限りは、それら全てについて本発明に係る権利範囲に含まれることは言うまでもない。従って、その程度の範囲内での構成上の差異を、本実施例に記載がなされていないことを理由に遊技機に採用することのみでは、本発明に係る権利を回避したことにはあたらない。その他、各要素の構成や形状等における、本実施例から当業者であれば容易に考えられる自明な範囲の差異についても同様である。
【符号の説明】
【００５４】
１    パチンコ機
３５    可動役物
５２    右ガイド軸
５３    右昇降部材
５４    駆動モータ
６２    左ガイド軸
６３    左昇降部材
７１〜７４      ベアリング
５３１    ラックギア
５４２    ピニオンギア
【図１】
2020089574.tif 000003
【図２】
2020089574.tif 000004
【図３】
2020089574.tif 000005
【図４】
2020089574.tif 000006
【図５】
2020089574.tif 000007
【図６】
2020089574.tif 000008
【図７】
2020089574.tif 000009
【図８】
2020089574.tif 000010
【図９】
2020089574.tif 000011